(57)【要約】【課題】ガスメータから得られる情報をガスメータが設置された地図上に表示するガスメータ管理システムを提供すること。【解決手段】各顧客の住居等に設置され、流量計測手段１１を備えたガスメータ１０と、ガスメータ１０で得られる情報を収集するセンター装置２０とからなり、センター装置２０は、ガスメータ１０の位置情報を管理し、ガスメータ１０から得られた情報を分析した結果を含めた情報を地図上の当該ガスメータの位置と共に表示する。【選択図】図１
2019012008.tif 000002
【特許請求の範囲】
【請求項１】
各顧客の住居等に設置され、流量計測手段を備えたガスメータと、前記ガスメータで得られる情報を収集するセンター装置とからなり、
前記センター装置は、前記ガスメータの位置情報を管理し、前記情報を地図上の当該ガスメータの位置と共に表示するガスメータ管理システム。
【請求項２】
前記情報は、前記ガスメータの前記流量計測手段により得られた流量情報及び前記流量計測手段の計測条件であることを特徴とする請求項１記載のガスメータ管理システム。
【請求項３】
前記ガスメータは前記流量計測手段により得られた流量情報から異常の有無を判定する異常判定手段を有し、前記情報には前記異常判定手段による異常判定情報を含み、
前記センター装置は、前記ガスメータから得られた前記異常判定情報を前記地図上の当該ガスメータの位置に表示することを特徴とする請求項１記載のガスメータ管理システム。
【請求項４】
前記ガスメータはガスを遮断する遮断手段を有し、前記情報には前記遮断手段による遮断の有無を示す遮断有無情報を含み、
前記センター装置は、前記ガスメータから得られた前記遮断有無情報を前記地図上の当該ガスメータの位置に表示することを特徴とする請求項１記載のガスメータ管理システム。
【請求項５】
前記ガスメータは震度を検知する震度計測手段を有し、前記情報には前記震度計測手段で得られた震度情報を含み、
前記センター装置は、前記ガスメータから得られた前記震度情報を前記地図上の当該ガスメータの位置に表示することを特徴とする請求項１記載のガスメータ管理システム。
【請求項６】
前記センター装置は、前記情報に基づき、対応が必要なガスメータを抽出すると共に、対応する最適な順序を前記地図上のルートとして決定し、表示することを特徴とする請求項３〜５のいずれか１項に記載のガスメータ管理システム。
【請求項７】
前記センター装置は、前記位置情報から特定の地域に設置された前記ガスメータを抽出し、当該ガスメータの前記情報から得られた前記流量計測手段の計測条件を比較することで、前記ガスメータの故障の有無を判断し、故障と判定したガスメータの位置を前記地図上に表示することを特徴とする請求項２記載のガスメータ管理システム。
【発明の詳細な説明】
【技術分野】
【０００１】
本発明は、ガスの流量を計測するガスメータから得られる情報をセンター装置で管理するシステムに関するものである。
【背景技術】
【０００２】
従来、この種のシステムとして、異常検出装置が内蔵されたガスメータと、自動検針システムを構成するサーバコンピュータからなり、ガスメータで検出されたガス漏れや圧力低下等の異常情報をサーバコンピュータで収集し、アラーム情報として地図上に表示し、復旧作業等を迅速に行おうとするものが有る（例えば、特許文献１参照）。
【先行技術文献】
【特許文献】
【０００３】
【特許文献１】特開２００２−２８８７６２号公報
【発明の概要】
【発明が解決しようとする課題】
【０００４】
しかしながら、前記従来の構成は、ガス漏れ、圧力低下等の緊急異常に対する対応を迅速に行おうとするもので、異常が発生した地域を特定することを主目的としており、個々の住宅のガスメータそのものの状態を監視するものではない。
【０００５】
本発明は、前記従来の課題を解決するもので、ガスメータから得られる各種の情報をセンター装置で収集し、この収集したデータに基づく情報をガスメータが設置された地図上に表示することで、ガスメータから得られる情報を視覚的に報知することができるガスメータ管理システムを提供することを目的とする。
【課題を解決するための手段】
【０００６】
前記従来の課題を解決するために、本発明のガスメータ管理システムは、各顧客の住居等に設置され、流量計測手段を備えたガスメータと、前記ガスメータで得られる情報を収集するセンター装置とからなり、前記センター装置は、前記ガスメータの位置情報を管理し、前記情報を地図上の当該ガスメータの位置と共に表示するものである。
【０００７】
これによって、ガスメータから得られる各種の情報をセンター装置で収集し、この収集したデータに基づく情報をガスメータが設置された地図上に表示することで、ガスメータから得られる情報を視覚的に報知することができる。
【発明の効果】
【０００８】
本発明のガスメータ管理システムによると、ガスメータから得られる各種の情報をセンター装置で収集し、この収集したデータに基づく情報をガスメータが設置された地図上に表示することで、ガスメータから得られる情報を視覚的に報知することができる。
【図面の簡単な説明】
【０００９】
【図１】本発明の実施の形態１におけるガスメータ管理システムのブロック図
【図２】（ａ）本発明の実施の形態１における表示内容を説明するための図、（ｂ）グラフＤの拡大図
【図３】本発明の実施の形態１における他の実施例の表示内容を説明するための図
【図４】（ａ）本発明の実施の形態２における表示内容を説明するための図、（ｂ）グラフＨの拡大図
【発明を実施するための形態】
【００１０】
第１の発明は、各顧客の住居等に設置され、流量計測手段を備えたガスメータと、前記ガスメータで得られる情報を収集するセンター装置とからなり、前記センター装置は、前記ガスメータの位置情報を管理し、前記情報を地図上の当該ガスメータの位置と共に表示するガスメータ管理システムである。
【００１１】
そして、ガスメータから得られる各種の情報をセンター装置で収集し、この収集したデータに基づく情報をガスメータが設置された地図上に表示することで、ガスメータから得られる情報を視覚的に報知することができる。
【００１２】
第２の発明は、特に、第１の発明において、前記情報は、前記ガスメータの前記流量計測手段により得られた流量情報及び前記流量計測手段の計測条件であることを特徴とするものある。
【００１３】
第３の発明は、特に、第１の発明において、前記ガスメータは前記流量計測手段により得られた流量情報から異常の有無を判定する異常判定手段を有し、前記情報には前記異常判定手段による異常判定情報を含み、前記センター装置は、前記ガスメータから得られた前記異常判定情報を前記地図上の当該ガスメータの位置に表示することを特徴とするものである。
【００１４】
第４の発明は、特に、第１の発明において、前記ガスメータはガスを遮断する遮断手段を有し、前記情報には前記遮断手段による遮断の有無を示す遮断有無情報を含み、前記センター装置は、前記ガスメータから得られた前記遮断有無情報を前記地図上の当該ガスメータの位置に表示することを特徴とするものである。
【００１５】
第５の発明は、特に、第１の発明において、前記ガスメータは震度を検知する震度計測手段を有し、前記情報には前記震度計測手段で得られた震度情報を含み、前記センター装置は、前記ガスメータから得られた前記震度情報を前記地図上の当該ガスメータの位置に表示することを特徴とするものである。
【００１６】
第６の発明は、特に、第１〜５のいずれか１つの発明において、前記センター装置は、前記情報に基づき、対応が必要なガスメータを抽出すると共に、対応する最適な順序を前記地図上のルートとして決定し、表示することを特徴とするものである。
【００１７】
第７の発明は、特に、第２の発明において、前記センター装置は、前記情報から得られた前記ガスメータの前記流量計測手段の計測条件と、当該ガスメータの位置情報とから、前記ガスメータの故障の有無を判断し、故障と判定したガスメータの位置を前記地図上に表示することを特徴とするものである。
【００１８】
そして、ガスメータの位置情報で特定された地域に位置する複数のガスメータの計測条件を比較することで、流量計測手段に故障が生じたガスメータ、或いは、ガスを供給する配管の異常を特定することができる。
【００１９】
以下、本発明の実施の形態について、図面を参照しながら説明する。なお、この実施の形態によって本発明が限定されるものではない。
【００２０】
（実施の形態１）
図１は、本発明の第１の実施の形態におけるガスメータ管理システムのブロック図を示すものである。
【００２１】
図１において、ガスメータ管理システム１は、ユーザー宅に設置されたガスメータ１０とセンター装置２０とからなる。なお、ガスメータ１０は各ユーザー宅に設置されるものであり複数存在するが、本実施の形態では１つのガスメータ１０についてのみ記載し説明を行う。
【００２２】
ガスメータ１０は、ガスの流入管１２ａと流出管１２ｂを有しており、流入管２ａから流出管２ｂに至る経路に流量計測手段１１が構成されている。また、流出管２ｂの下流には、複数のガス器具１３ａ、ガス器具１３ｂ，ガス器具１３ｃが接続されている。
【００２３】
流量計測手段１１は、時系列でガスの流量を検出し出力するもので、所定間隔（例えば０．５秒毎）で瞬時流量を計測する。
【００２４】
制御手段１４は、流量計測手段１１で計測された流量データを基にガスの使用量を積算する。或いは、震度計測手段１５から震度情報を取得して、所定震度以上の地震と判定された場合には遮断手段１６によりガスを遮断する。更に、圧力検知手段１７からの圧力値を取得して圧力低下異常の判定を行う等の機能を有している。
【００２５】
メータ通信手段１８は、制御手段１４で得られたガスの使用量の積算値や流量計測手段１１の計測条件等を制御手段１４から取得して、センター装置２０に送信する。ここで、流量計測手段１１の計測条件等とは、例えば、流量計測手段１１が超音波を用いた計測方法であれば、受信波を増幅する増幅率（増幅回路のゲイン）や超音波の伝播時間等であり、計測系の異常の有無を検証できるデータを意味しており、増幅回路のゲイン、伝播時間に限定されるものではない。
【００２６】
更に、メータ通信手段１８は、制御手段１４で判定された異常の種類、圧力検知手段１７から取得された圧力値、震度計測手段１５で得られた震度、更には、温度検出手段１９で得られたガスメータの周囲温度、若しくは、ガスの温度もガスメータ１０で得られた情報としてセンター装置２０へ送信する。
【００２７】
一方、センター装置２０は、ガスメータ１０のメータ通信手段１８と通信を行う為のセンター通信手段２１と、受信した流量データを蓄積するデータ蓄積手段２２と、データ蓄積手段２２に蓄積された流量データを用いて分析する分析手段２３と、分析手段２３の分析で得られた情報をガスメータ１０の地図上の位置と共に表示する表示手段２４を備えている。なお、ガスメータ１０の位置情報は、ガスメータ１０が設置された場所の緯度・経度、ユーザーの氏名、住所と共に、位置情報保持手段２５に保存されている。
【００２８】
図２は、表示手段２４で表示される画面の一例を示すもので、ここでは、住宅の形状、位置を地図３０上に表示すると共に、各住宅に設置されたガスメータで得られた情報に基づき、異常の有無としてガスの遮断中（図中の表示Ａ）、漏洩の可能性有り（図中の表示Ｂ）等で視覚的に表示している。
【００２９】
また、特定のガスメータの計測条件として、ここでは、Ａ氏宅に設置しているガスメータ１０の計測条件（ゲイン、伝播時間）、ガスの圧力を住所と共に表示（図中の表示Ｃ）し、更に、この４８時間のガスの流量を本日（実線）と昨日（点線）のグラフＤ（図２（ｂ）に拡大図を示す）として表示している。
【００３０】
ここで、ガスメータ個別の表示は任意に選択して表示できるものであり、センター装置２０の管理者は、異常が発生しているガスメータの選択することでガスメータから得られる情報を詳細に確認することが出来、異常の原因を推定し、迅速に対応するといったこと
が可能となる。
【００３１】
図３は、図２に示す地図よりも広域の地図を示しており、道路で区画された地区の複数のガスメータで得られた遮断情報から、その地区の遮断状況を表示しており、例えば、７５％以上が遮断（図中の表示Ｘ）、５０〜７５％が遮断（図中の表示Ｙ）、５０％以下で遮断発生（図中の表示Ｚ）、表示の無いものが遮断発生無しである。
【００３２】
従って、センター装置２０の管理者は、地図上に表示された遮断の発生状況から、復旧作業の優先度の高い地区を決定することができ、復旧作業を行うための最適なルートを検討することができる。なお、本実施の形態では最適なルートをセンター装置２０で自動的に抽出して点線で示している。また、復旧の完了の有無もこの地図上で確認することができ、復旧作業の進み具合を把握することも可能となる。
【００３３】
更に、遮断情報に換えて、各メータで得られた震度の大きさの分布を同様に表示することもでき、この場合、遮断が発生していなくても、配管の亀裂等の発生を予測するといったことも可能となる。
【００３４】
（実施の形態２）
本実施の形態において、ガスメータ管理システム１の構成は、実施の形態１と同じであり、センター装置２０は、ガスメータ１０から得られた計測条件（ゲイン、伝播時間）、やガスの圧力を基に、ガスメータ１０の異常や、その地域のガス供給上の異常を判断するものである。
【００３５】
例えば、図４は、実施の形態２における表示内容の一例を示すもので、センター装置２０は、ガスの配管が共通の地域（一点鎖線で示すＥ）に設置された複数のガスメータから得られた計測条件の内のゲインの分布状況を分析し、異常と思われるゲインで計測しているガスメータをゲイン異常と判断し、このガスメータの位置Ｆの位置を表示すると共に、ユーザーであるＢ氏の住所、指名及びこのガスメータの計測条件Ｇやゲインの分布状況のグラフＨ（拡大図を（ｂ）に示す）を表示している。
【００３６】
通常、同じガスの配管に接続されたガスメータにおける計測条件はほぼ同じであることから、ゲインが他のガスメータと比べてかけ離れている場合には、そのガスメータの流量計測手段１１に何らかの異常が発生している可能性が高い。なお、ここではゲインに着目したがゲインだけでなく、圧力値や、伝搬時間等を加味して判断することで、判断精度は向上する。
【００３７】
なお、上記実施の形態では、ゲインを単純な個数の分布として比較したが、標準偏差等の統計的手法を用いることで、故障予測が可能となり早期の異常発見を行うことも可能である。
【００３８】
また、同様にしてガスの圧力分布を分析することで、ガスメータの圧力検知手段の異常を判定することも可能である。
【００３９】
更に、ガスメータから得られたガスの圧力の分布を地図の位置情報と合わせて分析することでガスの配管上の異常を判断することも可能である。
【産業上の利用可能性】
【００４０】
以上のように、本発明にかかるガス器具監視システムによると、ガスメータで計測された流量データを用いて種々の分析を行うことが出来るので、家庭用に限らず、業務用のガスメータでも適用できる。
【符号の説明】
【００４１】
１、ガスメータ管理システム
１０  ガスメータ
１１  流量計測手段
１４  制御手段（異常判定手段）
１８  メータ通信手段
２０  センター装置
２１  センター通信手段
２２  データ蓄積手段
２３  分析手段
２４  表示手段
【図１】
2019012008.tif 000003
【図２】
2019012008.tif 000004
【図３】
2019012008.tif 000005
【図４】
2019012008.tif 000006